【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
所要の補助遊技の結果に関連して遊技者に所定の遊技価値を付与可能な特別遊技を発生するようにした遊技機において、
第１の始動条件の成立に基づき第１の補助遊技が実行され、該第１の補助遊技の結果に関連して第１の特別遊技が発生される第１の遊技状態と、第２の始動条件の成立に基づき前記第１の補助遊技とは遊技態様の異なる第２の補助遊技が実行され、該第２の補助遊技の結果に関連して前記第１の特別遊技とは遊技価値の付与態様の異なる第２の特別遊技が発生される第２の遊技状態と、の何れか一方の遊技状態となるように制御するとともに、所定の遊技条件の成立に基づいて該遊技状態の切り換えを行う遊技制御手段と、
遊技球の流入に基づき前記第１の始動条件を成立させるための第１の始動入賞口と、
遊技球の流入に基づき前記第２の始動条件を成立させるための第２の始動入賞口と、
前記第１の始動入賞口へ遊技球が流入することに基づき前記第１の始動条件が成立する状態と成立しない状態とに変更可能な第１の入賞態様変更手段と、
前記第２の始動入賞口へ遊技球が流入することに基づき前記第２の始動条件が成立する状態と成立しない状態とに変更可能な第２の入賞態様変更手段と、
を備え、
前記遊技制御手段により前記第１の遊技状態に制御されている場合には、前記第１の入賞態様変更手段は前記第１の始動入賞口へ遊技球が流入することに基づき前記第１の始動条件が成立する状態に変更するとともに前記第２の入賞態様変更手段は前記第２の始動入賞口へ遊技球が流入することに基づき前記第２の始動条件が成立しない状態に変更し、
前記遊技制御手段により前記第２の遊技状態に制御されている場合には、前記第１の入賞態様変更手段は前記第１の始動入賞口へ遊技球が流入することに基づき前記第１の始動条件が成立しない状態に変更するとともに前記第２の入賞態様変更手段は前記第２の始動入賞口へ遊技球が流入することに基づき前記第２の始動条件が成立する状態に変更するようにしたことを特徴とする遊技機。
【請求項２】
前記遊技制御手段は、特別遊技の発生毎に前記第１の遊技状態と第２の遊技状態とに交互に切り換えるようにしたことを特徴とする請求項１に記載の遊技機。
【請求項３】
前記遊技制御手段は、所定の特別遊技が発生した場合に実行される所定の遊技状態決定遊技の結果に関連して、当該特別遊技の終了後の遊技状態を決定するようにしたことを特徴とする請求項１に記載の遊技機。
【請求項４】
表示状態を変化可能な表示装置と、開状態と閉状態とに変動可能であるとともに一般入賞領域と特別入賞領域を有する変動入賞装置とを備え、
前記遊技制御手段は、
前記第１の遊技状態に制御する場合には、前記表示装置における複数の図柄による変動表示ゲームにより前記第１の補助遊技を実行し、該変動表示ゲームの結果態様が特別結果態様となったことに基づいて、前記変動入賞装置を第１の変動態様で開状態に変動させることにより前記第１の特別遊技を実行するようにし、
前記第２の遊技状態に制御する場合には、前記変動入賞装置を第２の変動態様で開状態に変動させることにより前記第２の補助遊技を実行し、該開状態への変動により該変動入賞装置に受け入れられた遊技球が前記特別入賞領域へ入賞したことに基づいて、前記変動入賞装置を前記第２の変動態様よりも遊技者に有利な第３の変動態様で開状態に変動させることにより前記第２の特別遊技を実行するようにしたことを特徴とする請求項１乃至請求項３の何れかに記載の遊技機。
【請求項５】
前記表示装置と前記変動入賞装置を一体的に設けたことを特徴とする請求項４に記載の遊技機。
【請求項６】
前記第１の始動入賞口へ流入した遊技球を検出する第１の始動入賞口センサと、
前記第２の始動入賞口へ流入した遊技球を検出する第２の始動入賞口センサと、
を備え、
前記第１の入賞態様変更手段は、前記第１の始動入賞口へ流入した遊技球を前記第１の始動入賞口センサで検出する状態に変更することで前記第１の始動条件が成立する状態にし、該第１の始動入賞口へ流入した遊技球を該第１の始動入賞口センサで検出しない状態に変更することで該第１の始動条件が成立しない状態にし、
前記第２の入賞態様変更手段は、前記第２の始動入賞口へ流入した遊技球を前記第２の始動入賞口センサで検出する状態に変更することで前記第２の始動条件が成立する状態にし、該第２の始動入賞口へ流入した遊技球を該第２の始動入賞口センサで検出しない状態に変更することで該第２の始動条件が成立しない状態にすることを特徴とする請求項１乃至請求項５の何れかに記載の遊技機。
【請求項７】
所要の補助遊技の結果に関連して遊技者に所定の遊技価値を付与可能な特別遊技を発生するようにした遊技機において、
第１の始動条件の成立に基づき第１の補助遊技が実行され、該第１の補助遊技の結果に関連して第１の特別遊技が発生される第１の遊技状態と、第２の始動条件の成立に基づき前記第１の補助遊技とは遊技態様の異なる第２の補助遊技が実行され、該第２の補助遊技の結果に関連して前記第１の特別遊技とは遊技価値の付与態様の異なる第２の特別遊技が発生される第２の遊技状態と、の何れか一方の遊技状態となるように制御するとともに、所定の遊技条件の成立に基づいて該遊技状態の切り換えを行う遊技制御手段と、
遊技球の流入に基づき前記第１の始動条件を成立させるための第１の始動入賞口と、
遊技球の流入に基づき前記第２の始動条件を成立させるための第２の始動入賞口と、
前記第１の始動入賞口および第２の始動入賞口の上流側に設けられるとともに遊技球を受け入れる受入部を有し、該受入部に受け入れられた遊技球を該第１の始動入賞口或いは第２の始動入賞口の何れかに振り分けて導入させることが可能な振分手段と、
を備え、
前記振分手段は、
前記遊技制御手段により前記第１の遊技状態に制御されている場合には、前記受入部に受け入れられた遊技球を前記第１の始動入賞口側に振り分ける一方、前記第２の遊技状態に制御されている場合には、前記受入部に受け入れられた遊技球を前記第２の始動入賞口側に振り分けるものとし、
前記受入部に受け入れられた遊技球を、前記第１の始動入賞口側に振り分けて該第１の始動入賞口に導入させる導入率と、前記第２の始動入賞口側に振り分けて該第２の始動入賞口に導入させる導入率とが異なるように設定したことを特徴とする遊技機。
【手続補正２】
【補正対象書類名】明細書
【補正対象項目名】０００７
【補正方法】変更
【補正の内容】
【０００７】
【課題を解決するための手段】
上記課題を解決するため、所要の補助遊技の結果に関連して遊技者に所定の遊技価値を付与可能な特別遊技を発生するようにした遊技機において、
第１の始動条件の成立に基づき第１の補助遊技が実行され、該第１の補助遊技の結果に関連して第１の特別遊技が発生される第１の遊技状態と、第２の始動条件の成立に基づき前記第１の補助遊技とは遊技態様の異なる第２の補助遊技が実行され、該第２の補助遊技の結果に関連して前記第１の特別遊技とは遊技価値の付与態様の異なる第２の特別遊技が発生される第２の遊技状態と、の何れか一方の遊技状態となるように制御するとともに、所定の遊技条件の成立に基づいて該遊技状態の切り換えを行う遊技制御手段と、
遊技球の流入に基づき前記第１の始動条件を成立させるための第１の始動入賞口と、
遊技球の流入に基づき前記第２の始動条件を成立させるための第２の始動入賞口と、
前記第１の始動入賞口へ遊技球が流入することに基づき前記第１の始動条件が成立する状態と成立しない状態とに変更可能な第１の入賞態様変更手段と、
前記第２の始動入賞口へ遊技球が流入することに基づき前記第２の始動条件が成立する状態と成立しない状態とに変更可能な第２の入賞態様変更手段と、
を備え、
前記遊技制御手段により前記第１の遊技状態に制御されている場合には、前記第１の入賞態様変更手段は前記第１の始動入賞口へ遊技球が流入することに基づき前記第１の始動条件が成立する状態に変更するとともに前記第２の入賞態様変更手段は前記第２の始動入賞口へ遊技球が流入することに基づき前記第２の始動条件が成立しない状態に変更し、
前記遊技制御手段により前記第２の遊技状態に制御されている場合には、前記第１の入賞態様変更手段は前記第１の始動入賞口へ遊技球が流入することに基づき前記第１の始動条件が成立しない状態に変更するとともに前記第２の入賞態様変更手段は前記第２の始動入賞口へ遊技球が流入することに基づき前記第２の始動条件が成立する状態に変更するようにしたことを特徴としている。
【手続補正３】
【補正対象書類名】明細書
【補正対象項目名】０００９
【補正方法】変更
【補正の内容】
【０００９】
この請求項１記載の発明によれば、遊技制御手段により、第１の遊技状態と第２の遊技状態のいずれの遊技状態にも制御できるので、遊技者は１台の遊技機でも複数の遊技内容を楽しめるようになる。つまり、遊技状態が多彩になることにより、興趣性を向上させることができる。また、遊技制御手段は第１の遊技状態と第２の遊技状態との何れか一方の遊技状態となるように、遊技状態を選択的に制御するので、２つの遊技状態が同時に進行することはなくなる。これにより遊技内容が複雑化することを回避できるので、遊技者に戸惑いを与えることなくバリエーションの豊富な遊技を実行することができる。よって、遊技者は分かり易く多彩な遊技を楽しめるようになる。更に、所定の遊技条件の成立に基づいて、第１の遊技状態と第２の遊技状態とを切り換えるようにしたので、遊技内容に変化性を出すことができ興趣性を更に向上させることができる。
また、第１の始動入賞口と、第２の始動入賞口と、を別個に備え、第１の遊技状態では、第１の始動入賞口へ遊技球が流入することに基づき前記第１の始動条件が成立する状態に変更するとともに第２の始動入賞口へ遊技球が流入することに基づき前記第２の始動条件が成立しない状態に変更し、第２の遊技状態では、第１の始動入賞口へ遊技球が流入することに基づき前記第１の始動条件が成立しない状態に変更するとともに第２の始動入賞口へ遊技球が流入することに基づき前記第２の始動条件が成立する状態に変更するので、即ち、換言すれば、第１と第２の始動入賞口を別個に備え、遊技状態に応じてどちらかの始動入賞口を有効化（始動入賞口への流入に基づく補助遊技の実行の有効化や、該流入に基づく賞球の付与の有効化）するので、始動入賞口への遊技球の入賞率や賞球の付与率を各遊技状態に応じて適切に設定することができ、遊技者と遊技店側との利益バランスをとることができる。
【手続補正４】
【補正対象書類名】明細書
【補正対象項目名】００２０
【補正方法】変更
【補正の内容】
【００２０】
請求項６記載の発明は、請求項１乃至請求項５の何れかに記載の遊技機において、
前記第１の始動入賞口へ流入した遊技球を検出する第１の始動入賞口センサと、
前記第２の始動入賞口へ流入した遊技球を検出する第２の始動入賞口センサと、
を備え、
前記第１の入賞態様変更手段は、前記第１の始動入賞口へ流入した遊技球を前記第１の始動入賞口センサで検出する状態に変更することで前記第１の始動条件が成立する状態にし、該第１の始動入賞口へ流入した遊技球を該第１の始動入賞口センサで検出しない状態に変更することで該第１の始動条件が成立しない状態にし、
前記第２の入賞態様変更手段は、前記第２の始動入賞口へ流入した遊技球を前記第２の始動入賞口センサで検出する状態に変更することで前記第２の始動条件が成立する状態にし、該第２の始動入賞口へ流入した遊技球を該第２の始動入賞口センサで検出しない状態に変更することで該第２の始動条件が成立しない状態にすることを特徴としている。
【手続補正５】
【補正対象書類名】明細書
【補正対象項目名】００２１
【補正方法】変更
【補正の内容】
【００２１】
この請求項６記載の発明によれば、前記第１の入賞態様変更手段は、前記第１の始動入賞口へ流入した遊技球を前記第１の始動入賞口センサで検出する状態に変更することで前記第１の始動条件が成立する状態にし、該第１の始動入賞口へ流入した遊技球を該第１の始動入賞口センサで検出しない状態に変更することで該第１の始動条件が成立しない状態にし、前記第２の入賞態様変更手段は、前記第２の始動入賞口へ流入した遊技球を前記第２の始動入賞口センサで検出する状態に変更することで前記第２の始動条件が成立する状態にし、該第２の始動入賞口へ流入した遊技球を該第２の始動入賞口センサで検出しない状態に変更することで該第２の始動条件が成立しない状態にする。
【手続補正６】
【補正対象書類名】明細書
【補正対象項目名】００２２
【補正方法】変更
【補正の内容】
【００２２】
請求項７記載の発明は、所要の補助遊技の結果に関連して遊技者に所定の遊技価値を付与可能な特別遊技を発生するようにした遊技機において、
第１の始動条件の成立に基づき第１の補助遊技が実行され、該第１の補助遊技の結果に関連して第１の特別遊技が発生される第１の遊技状態と、第２の始動条件の成立に基づき前記第１の補助遊技とは遊技態様の異なる第２の補助遊技が実行され、該第２の補助遊技の結果に関連して前記第１の特別遊技とは遊技価値の付与態様の異なる第２の特別遊技が発生される第２の遊技状態と、の何れか一方の遊技状態となるように制御するとともに、所定の遊技条件の成立に基づいて該遊技状態の切り換えを行う遊技制御手段と、
遊技球の流入に基づき前記第１の始動条件を成立させるための第１の始動入賞口と、
遊技球の流入に基づき前記第２の始動条件を成立させるための第２の始動入賞口と、
前記第１の始動入賞口および第２の始動入賞口の上流側に設けられるとともに遊技球を受け入れる受入部を有し、該受入部に受け入れられた遊技球を該第１の始動入賞口或いは第２の始動入賞口の何れかに振り分けて導入させることが可能な振分手段と、
を備え、
前記振分手段は、
前記遊技制御手段により前記第１の遊技状態に制御されている場合には、前記受入部に受け入れられた遊技球を前記第１の始動入賞口側に振り分ける一方、前記第２の遊技状態に制御されている場合には、前記受入部に受け入れられた遊技球を前記第２の始動入賞口側に振り分けるものとし、
前記受入部に受け入れられた遊技球を、前記第１の始動入賞口側に振り分けて該第１の始動入賞口に導入させる導入率と、前記第２の始動入賞口側に振り分けて該第２の始動入賞口に導入させる導入率とが異なるように設定したことを特徴としている。
【手続補正７】
【補正対象書類名】明細書
【補正対象項目名】０１１４
【補正方法】変更
【補正の内容】
【０１１４】
【発明の効果】
請求項１記載の発明に係る遊技機によれば、遊技制御手段により、第１の遊技状態と第２の遊技状態のいずれの遊技状態にも制御できるので、遊技者は１台の遊技機でも複数の遊技内容を楽しめるようになる。つまり、遊技状態が多彩になることにより、興趣性を向上させることができる。また、遊技制御手段は第１の遊技状態と第２の遊技状態との何れか一方の遊技状態となるように、遊技状態を選択的に制御するので、２つの遊技状態が同時に進行することはなくなる。これにより遊技内容が複雑化することを回避できるので、遊技者に戸惑いを与えることなくバリエーションの豊富な遊技を実行することができる。よって、遊技者は分かり易く多彩な遊技を楽しめるようになる。更に、所定の遊技条件の成立に基づいて、第１の遊技状態と第２の遊技状態とを切り換えるようにしたので、遊技内容に変化性を出すことができ興趣性を更に向上させることができる。
また、第１の始動入賞口と、第２の始動入賞口と、を別個に備え、第１の遊技状態では、第１の始動入賞口へ遊技球が流入することに基づき前記第１の始動条件が成立する状態に変更するとともに第２の始動入賞口へ遊技球が流入することに基づき前記第２の始動条件が成立しない状態に変更し、第２の遊技状態では、第１の始動入賞口へ遊技球が流入することに基づき前記第１の始動条件が成立しない状態に変更するとともに第２の始動入賞口へ遊技球が流入することに基づき前記第２の始動条件が成立する状態に変更するので、即ち、換言すれば、第１と第２の始動入賞口を別個に備え、遊技状態に応じてどちらかの始動入賞口を有効化（始動入賞口への流入に基づく補助遊技の実行の有効化や、該流入に基づく賞球の付与の有効化）するので、始動入賞口への遊技球の入賞率や賞球の付与率を各遊技状態に応じて適切に設定することができ、遊技者と遊技店側との利益バランスをとることができる。
【手続補正８】
【補正対象書類名】明細書
【補正対象項目名】０１１９
【補正方法】変更
【補正の内容】
【０１１９】
請求項６記載の発明に係る遊技機によれば、前記第１の入賞態様変更手段は、前記第１の始動入賞口へ流入した遊技球を前記第１の始動入賞口センサで検出する状態に変更することで前記第１の始動条件が成立する状態にし、該第１の始動入賞口へ流入した遊技球を該第１の始動入賞口センサで検出しない状態に変更することで該第１の始動条件が成立しない状態にし、前記第２の入賞態様変更手段は、前記第２の始動入賞口へ流入した遊技球を前記第２の始動入賞口センサで検出する状態に変更することで前記第２の始動条件が成立する状態にし、該第２の始動入賞口へ流入した遊技球を該第２の始動入賞口センサで検出しない状態に変更することで該第２の始動条件が成立しない状態にする。